(57)【特許請求の範囲】
【請求項１】
物を収納する収納凹部を有する引き出し本体が樹脂成形品とされ、キャビネット本体から引き出し方向へ引き出し可能な引き出しであって、
前記収納凹部は、第一の底面と、該第一の底面よりも前記引き出し方向側に設けられ前記第一の底面よりも高くされた第二の底面とを有し、前記第一の底面上の空間と前記第二の底面上の空間とが繋がった共通の収納空間が形成され、
前記収納凹部における前記第一の底面と前記第二の底面との繋がり部は、前記第一の底面から前記第二の底面に向かって斜めに上がり、下に凸の断面曲線状であることを特徴とする引き出し。
【請求項２】
前記収納凹部は、前記第一の底面よりも側方に設けられた第三の底面を有し、
前記収納凹部における前記第一の底面と前記第三の底面との境界部は、前記引き出し方向における途中から前記引き出し方向側に前記第一の底面と前記第三の底面とを仕切る仕切りが設けられ、
前記共通の収納空間は、前記境界部の途中から前記引き出し方向とは反対方向の側において前記第三の底面上の空間と繋がっていることを特徴とする請求項１に記載の引き出し。
【請求項３】
キャビネット本体に対して引き出しを引き出し方向へ引き出し可能に収容するキャビネットであって、
前記引き出しは、物を収納する収納凹部を有する引き出し本体が樹脂成形品とされ、
前記収納凹部は、第一の底面と、該第一の底面よりも前記引き出し方向側に設けられ前記第一の底面よりも高くされた第二の底面とを有し、前記第一の底面上の空間と前記第二の底面上の空間とが繋がった共通の収納空間が形成され、
前記収納凹部における前記第一の底面と前記第二の底面との繋がり部は、前記第一の底面から前記第二の底面に向かって斜めに上がり、下に凸の断面曲線状であることを特徴とするキャビネット。
【発明の詳細な説明】
【技術分野】
【０００１】
本発明は、システムキッチン等に設けられる引き出し、及び、キャビネットに関する。
【背景技術】
【０００２】
システムキッチンのキャビネットには、菜箸やお玉や計量スプーンといった調理小道具、調味料、等の物を収納する引き出しが設けられている。特許文献１には、側板と平行な複数の固定仕切り壁と引き出し前板と平行な複数の仕切り壁とで収納空間を分割したトレイ一体型引き出し収納部が開示されている。このトレイ一体型引き出し収納部の底板の上面、すなわち、収納凹部の底面は、平坦である。
【先行技術文献】
【特許文献】
【０００３】
【特許文献１】特開２００６−３４１００３号公報
【発明の概要】
【発明が解決しようとする課題】
【０００４】
上記トレイ一体型引き出し収納部の平坦な底板上に菜箸といった長い調理器具を収納したとき、調理器具を取り出し難いことがある。
なお、上述した問題は、洗面化粧台の引き出し等、システムキッチン以外の引き出しにも存在する。
【０００５】
本発明は、収納物を取り出し易い引き出し、及び、キャビネットを提供する目的を有する。
【課題を解決するための手段】
【０００６】
本発明は、物を収納する収納凹部を有する引き出し本体が樹脂成形品とされ、キャビネット本体から引き出し方向へ引き出し可能な引き出しであって、
前記収納凹部は、第一の底面と、該第一の底面よりも前記引き出し方向側に設けられ前記第一の底面よりも高くされた第二の底面とを有し、前記第一の底面上の空間と前記第二の底面上の空間とが繋がった共通の収納空間が形成され、
前記収納凹部における前記第一の底面と前記第二の底面との繋がり部は、前記第一の底面から前記第二の底面に向かって斜めに上がり、下に凸の断面曲線状である、態様を有する。
【０００７】
すなわち、引き出し方向において第一及び第二の底面上の空間が繋がった共通の収納空間が形成されているので、長い物を引き出し方向に向けて収納空間に収納することができる。第一及び第二の底面上に跨った収納物は、第二の底面よりも低い第一の底面との間に生じる隙間に指を入れて取り出すことができるので、取り出し易い。
なお、上記引き出しを備えるキャビネットやシステムキッチン等も、上述した作用、効果を奏する。
【発明の効果】
【０００８】
本発明によれば、収納物を取り出し易い引き出し、及び、キャビネットを提供することができる。
【図面の簡単な説明】
【０００９】
【図１】引き出し１を有するシステムキッチンＫ１を例示する斜視図である。
【図２】引き出し１を例示する斜視図である。
【図３】引き出し１を例示する平面図である。
【図４】図３のＡ１−Ａ１の位置で引き出し１を切断した垂直断面図である。
【図５】図３のＡ２−Ａ２の位置で引き出し１を切断した垂直断面図である。
【図６】（ａ）は図４の要部を拡大して作用を説明する要部垂直断面図、（ｂ）及び（ｃ）は参考例を示す要部垂直断面図、である。
【図７】図３の要部を拡大して作用を説明する要部平面図である。
【発明を実施するための形態】
【００１０】
以下、本発明の実施形態を説明する。むろん、以下の実施形態は本発明を例示するものに過ぎず、実施形態に示す特徴の全てが発明の解決手段に必須になるとは限らない。
【００１１】
（１）本技術の概要：
まず、図１〜７を参照して本技術の概要を説明する。
【００１２】
引き出し１は、物Ｇ１を収納する収納凹部１１を有する引き出し本体１０が樹脂成形品とされ、キャビネット本体９０から引き出し方向Ｄ１へ引き出し可能である。前記収納凹部１１は、第一の底面３１と、該第一の底面３１よりも前記引き出し方向Ｄ１側（手前側Ｓ１）に設けられ前記第一の底面３１よりも高くされた第二の底面３２とを有し、前記第一の底面３１上の空間と前記第二の底面３２上の空間とが繋がった共通の収納空間ＳＰ２が形成されている。すなわち、引き出し方向Ｄ１において第一及び第二の底面３１，３２上の空間が繋がった共通の収納空間ＳＰ２が形成されているので、図６（ａ）等に示すように長い物Ｇ１を引き出し方向Ｄ１に向けて収納空間ＳＰ２に収納することができる。第一及び第二の底面３１，３２上に跨った収納物Ｇ１は、第二の底面３２よりも低い第一の底面３１との間に生じる隙間ＣＬ１に指を入れて取り出すことができるので、取り出し易い。
【００１３】
前記収納凹部１１における前記第一の底面３１と前記第二の底面３２との繋がり部４０は、前記第一の底面３１から前記第二の底面３２に向かって斜めに上がってもよい。図６（ａ）等に示すように短くて引き出し方向Ｄ１側（手前側Ｓ１）の端部が繋がり部４０にかかった収納物Ｇ２は、第一の底面３１との間に生じる隙間ＣＬ１に指を入れて取り出すことができる。従って、本態様は、長さの短い収納物Ｇ２を取り出し易くすることができる。
【００１４】
前記収納凹部１１は、前記第一の底面３１よりも側方Ｄ４に設けられた第三の底面３３を有してもよい。前記収納凹部１１における前記第一の底面３１と前記第三の底面３３との境界部５０は、前記引き出し方向Ｄ１における途中５１から前記引き出し方向Ｄ１側（手前側Ｓ１）に前記第一の底面３１と前記第三の底面３３とを仕切る仕切り５４が設けられてもよい。前記共通の収納空間ＳＰ２は、前記境界部５０の途中５１から前記引き出し方向Ｄ１とは反対方向（収容方向Ｄ２）の側（奥側Ｓ２）において前記第三の底面３３上の空間と繋がってもよい。本態様は、第一の底面３１と第三の底面３３との境界部５０の引き出し方向Ｄ１側（手前側Ｓ１）が仕切られて反対方向（収容方向Ｄ２）側（奥側Ｓ２）に第一の底面３１上の空間と第三の底面３３上の空間とで共通の収納空間ＳＰ２があるので、図７に示すように先端部の大きい物Ｇ３を引き出し方向Ｄ１側（手前側Ｓ１）で整理しながら収納することができる。
なお、物Ｇ１〜Ｇ３を総称するときは、「物Ｇ１」と示す。
【００１５】
（２）キャビネットを有するシステムキッチンの説明：
図１は、キャビネット本体９０に対して引き出し１を引き出し方向Ｄ１へ引き出し可能に収容するキッチン用のフロアキャビネット１００を設置したシステムキッチンＫ１の要部の構築例を分解して示している。図中、符号Ｄ１は引き出し１の引き出し方向、符号Ｄ２は引き出し方向Ｄ１とは反対の収容方向、符号Ｄ４Ｌは引き出し方向Ｄ１側（手前側Ｓ１）から見たときの左方、符号Ｄ４Ｒは手前側Ｓ１から見たときの右方、符号Ｄ５は上方、符号Ｄ６は下方、符号Ｓ４Ｌは左側、符号Ｓ４Ｒは右側、を示している。前述の左方Ｄ４Ｌ及び右方Ｄ４Ｒを側方Ｄ４と総称する。方向Ｄ１，Ｄ２と方向Ｄ４Ｌ，Ｄ４Ｒと方向Ｄ５，Ｄ６は、互いに交わっていればよく、互いに直交していることが好ましいものの、直交しない場合も本発明に含まれる。誤差により厳密な直交からずれることは、直交することに含まれる。分かり易く示すため、各方向の拡大率は異なることがあり、各図は整合していないことがある。
【００１６】
システムキッチンＫ１は、複数の構成要素が集合して形成される。各フロアキャビネット１００，１０１，１０２は、隣り合うフロアキャビネット同士で対面する側板がねじやナット等などの固定部品で連結されることにより一体化され、上部の開口部にキッチンカウンターＫ２が載置されて固定される。このカウンターＫ２には、シンクＫ３や加熱調理器具Ｋ４や食器洗浄機Ｋ５が組み込まれている。キャビネット１００〜１０２は各種の基準間口幅があり、各種の基準間口幅のフロアキャビネットが選択されて組み合わされることによりシステムキッチンＫ１が構築される。図１に示す引き出し１は、シンクＫ３や加熱調理器具Ｋ４や食器洗浄機Ｋ５を除いた例えば３０ｃｍ程度の幅とされている。
【００１７】
キャビネット本体９０は、キャビネット１００のうち引き出し１を含まない外側の箱をいうものとする。キャビネット本体９０は、例えば、一対の側板９２，９２の間に底板９３と背板が架け渡されて引き出し１の収容空間９１が形成された箱体で構成することができる。側板９２と底板９３の少なくとも一方には、引き出し１を引き出し方向Ｄ１及び収容方向Ｄ２へスライドさせるためのレールが設けられてもよい。例えば、固定部７１と可動部７２（図５参照）を有するスライドレール７０を用いる場合、固定部７１がキャビネット本体９０に取り付けられ、可動部７２が引き出し本体１０に取り付けられる。引き出し本体１０の底部１２にスライドレール可動部７２を固定し、キャビネット本体９０の側板９２と底板９３の少なくとも一方にスライドレール固定部７１を固定すると、ユーザーからスライドレール７０が見え難く、引き出し１の見た目を向上させることができる。
キャビネット本体の材質は、特に限定されず、木質素材、熱可塑性樹脂といった樹脂材料、ステンレス等の金属、等とすることができる。
【００１８】
（３）引き出しの構成：
図２は、引き出し１の外観を示している。引き出し１は、物Ｇ１を収納する収納凹部１１を有する引き出し本体１０を備え、キャビネット本体９０から引き出し方向Ｄ１へ引き出し可能である。引き出し本体１０の前部１３には、化粧板６０及び取っ手６１が取り付けられている。ただし、図２〜４，７では、取っ手６１の図示を省略している。
【００１９】
図３は、引き出し１の上側を示している。図４は、図３のＡ１−Ａ１の位置であり、引き出し方向Ｄ１に沿った中心線Ｃ１の位置で引き出し１を切断した垂直断面図である。図５は、図３のＡ２−Ａ２の位置で引き出し１を切断した垂直断面図である。これらの図に示す引き出し本体１０は、熱可塑性樹脂といった樹脂材料で一体成形した樹脂成形品とされている。樹脂材料の成形には、射出成形等を用いることができる。
【００２０】
図２に示す引き出し本体１０は、上部が開口した収納凹部１１を一体形成する底部１２、前部１３、背部１４、及び、側部２０Ｌ，２０Ｒを有している。ここで、側部２０Ｌ，２０Ｒを側部２０と総称する。収納凹部１１には、仕切り１５，５４が形成されている。底部１２の外底面１２ｏの左右両側には、図５に示すようにスライドレール７０の可動部７２が取り付けられてもよい。成形の都合上、仕切り１５，５４や側部２０等に肉抜部１５ｃ，５４ｃ，２０ｃが形成されている。
【００２１】
収納凹部１１は、物Ｇ１を収納する収納空間ＳＰ１を形成している。図４等に示す収納凹部１１は、比較的低い第一の底面３１と、比較的高い第二の底面３２とを有している。第一の底面３１よりも高い第二の底面３２は、第一の底面３１よりも手前側Ｓ１に配置されている。第一の底面３１上の空間と第二の底面３２上の空間とは、互いに繋がった共通の収納空間ＳＰ２とされている。共通の収納空間ＳＰ２は、収納空間ＳＰ１全体でもよいし、収納空間ＳＰ１の一部でもよい。収納凹部１１における両底面３１，底面３２の繋がり部４０は、第一の底面３１から第二の底面３２に向かって斜めに上がっている。図４や図６（ａ）等に示す繋がり部４０は、引き出し方向Ｄ１に沿った垂直断面において下に凸の曲線状となる曲面に形成されている。なお、斜めに上がることには、図６（ｃ）に示すように断面直線状に上がることのみならず、図６（ａ）に示すように断面曲線状に上がること等も含まれる。断面曲線状に上がる繋がり部の形状には、下に凸の断面曲線状となる曲面の他、上に凸の断面曲線状となる曲面等も含まれる。
【００２２】
図３等に示す収納凹部１１は、第一及び第二の底面３１，３２よりも側方Ｄ４に設けられた第三の底面３３を有している。第二の底面３２と第三の底面３３とは、繋がっている。収納凹部１１における第一の底面３１と第三の底面３３との境界部５０は、引き出し方向Ｄ１における途中５１から引き出し方向Ｄ１側（手前側Ｓ１）の部分５２に両底面３１，３３を仕切る仕切り５４が設けられている。一方、境界部５０うち引き出し方向Ｄ１における途中５１から引き出し方向Ｄ１とは反対方向（収容方向Ｄ２）の側（奥側Ｓ２）の部分５３には、仕切りが設けられていない。従って、共通の収納空間ＳＰ２は、境界部５０の途中５１から奥側Ｓ２において第三の底面３３上の空間と繋がっている。図５等に示す第三の底面３３は、第一の底面３１よりも高くされ、第二の底面３２と同じ高さとされている。従って、境界部５０の奥側Ｓ２の部分５３において両底面３１，３３が段状に繋がっている。中央側の第一の底面３１よりも端側の第三の底面３３が高いのは、第三の底面３３の下にスライドレール可動部７２が設けられているためである。しかしながら、境界部５０の奥側Ｓ２の部分５３で両底面３１，３３上の空間が繋がっていることにより、例えば図７に示すように第一の底面３１に収まりきらない物Ｇ３を両底面３１，３３にかけて収納することができる。むろん、第三の底面３３の下にスライドレールを配置する必要が無ければ、第三の底面３３を低くして例えば第一の底面３１と同じ高さにしてもよい。
上述したような第三の底面３３は、第一の底面３１から左側Ｓ４Ｌにのみ配置されるのみならず、第一の底面３１から右側Ｓ４Ｒにのみ配置されてもよいし、第一の底面３１の左右両側に配置されてもよい。
【００２３】
また、図３等に示す収納凹部１１は、第一の底面３１よりも側方Ｄ４に設けられた第四の底面３４も有している。第四の底面３４は、引き出し方向Ｄ１に沿った仕切り１５で第一の底面３１と仕切られ、上述した共通の収納空間ＳＰ２から分けられている。図５等に示す第四の底面３４は、下にスライドレール可動部７２が設けられるため第一の底面３１よりも高くされ、第二の底面３２と同じ高さとされている。むろん、第四の底面３４の下にスライドレールを配置する必要が無ければ、第四の底面３４を低くして例えば第一の底面３１と同じ高さにしてもよい。
【００２４】
さらに、図３等に示す収納凹部１１は、第一の底面３１よりも奥側Ｓ２に設けられた比較的低い第五の底面３５と、第三の底面３３よりも奥側Ｓ２に設けられた比較的高い第六の底面３６とを有している。両底面３５，３６は、引き出し本体１０の幅方向（符号Ｄ４の方向）に沿った仕切り１５で第一及び第三の底面３１，３３と仕切られ、上述した共通の収納空間ＳＰ２から分けられている。第五の底面３５と第四の底面３４とは、引き出し方向Ｄ１に沿った仕切り１５で仕切られている。
【００２５】
図３に示す第一及び第二の底面３１，３２並びに繋がり部４０は、引き出し本体１０の幅方向（符号Ｄ４の方向）の中央（中心線Ｃ１の位置）を通っている。第一及び第二の底面３１，３２並びに繋がり部４０の幅Ｗ１は、引き出し本体１０全体の幅Ｗ０でもよいが、幅Ｗ０よりも狭くされてもよい。第一の底面３１から側部２０Ｌの外側面までの幅をＷ２、第一の底面３１から側部２０Ｒの外側面までの幅をＷ３、とすると、Ｗ１＝Ｗ０−Ｗ２−Ｗ３である。引き出し本体１０全体の幅Ｗ０に対する幅Ｗ１の比Ｗ１／Ｗ０は、特に限定されないが、例えば、０．２以上０．７以下程度、より狭い範囲として０．３以上０．６以下程度とされる。図３に示す比Ｗ１／Ｗ０は、約０．３８である。左側Ｓ４Ｌの幅Ｗ２の比Ｗ２／Ｗ０や右側Ｓ４Ｒの幅Ｗ３の比Ｗ３／Ｗ０は、特に限定されないが、例えば、０．１５以上０．４以下程度、より狭い範囲として０．２以上０．３５以下程度とされる。図３に示す比Ｗ２／Ｗ０は約０．２４であり、図３に示す比Ｗ３／Ｗ０は約０．３８である。
【００２６】
前後方向（符号Ｄ１，Ｄ２の方向）において、図３等に例示するように第一及び第二の底面３１，３２並びに繋がり部４０の手前側Ｓ１と奥側Ｓ２のいずれか一方に両底面３１，３２に含まれない底面３０が手前側Ｓ１と奥側Ｓ２のいずれか一方に設けられてもよい。むろん、両底面３１，３２並びに繋がり部４０は、引き出し本体１０のほぼ全体にわたって設けられてもよい。
【００２７】
（４）引き出しの作用及び効果の説明：
次に、引き出し１の作用及び効果を説明する。
図１に示すようにキャビネット本体９０に収容されている引き出し１を引き出すと、引き出し本体１０が現れ、収納凹部１１に対して物Ｇ１を出し入れすることができる。ここで、引き出し方向Ｄ１において第一及び第二の底面３１，３２上の空間が繋がった共通の収納空間ＳＰ２が形成されているので、図６（ａ）の例のように長い物Ｇ１（例えば菜箸やお玉等）を引き出し方向Ｄ１に向けて収納空間ＳＰ２に収納することができる。第一及び第二の底面３１，３２上に跨った収納物Ｇ１は、第二の底面３２よりも低い第一の底面３１との間に生じる隙間ＣＬ１に指を入れて取り出すことができるので、取り出し易い。このような効果は、図６（ｂ）に示すように略鉛直面とされた繋がり部４０で引き出し方向Ｄ１において底面３１，３２が段状に繋がった収納凹部１１でも得られる。むろん、図６（ｃ）に示すように断面直線状の傾斜面とされた繋がり部４０で引き出し方向Ｄ１において底面３１，３２が繋がった収納凹部１１や、図示していないが上に凸の断面曲線状の曲面とされた繋がり部で引き出し方向Ｄ１において底面３１，３２が繋がった収納凹部等でも、同様の効果が得られる。
【００２８】
また、図６（ａ）の例のように第一の底面３１における引き出し方向Ｄ１の長さよりも短くて手前側Ｓ１の端部が繋がり部４０にかかる収納物Ｇ２もある。この繋がり部４０は第一の底面３１から第二の底面３２に向かって斜めに上がっているので、第一の底面３１と収納物Ｇ２との間に生じる隙間ＣＬ１に指を入れることができる。これに対し、図６（ｂ）に示すように繋がり部４０が略鉛直面であると、第一の底面３１と収納物Ｇ２との間に隙間が生じないことになる。従って、図６（ａ）に示すような引き出し１は、手前側Ｓ１の端部が繋がり部４０にかかる収納物Ｇ２を取り出し易い。このような効果は、図６（ｃ）に示すように断面直線状の傾斜面とされた繋がり部４０でも得られる。
なお、図６（ａ）の例のように繋がり部４０が下に凸の断面曲線状であると、図６（ｃ）の例のように繋がり部４０が断面直線状である場合と比べて隙間ＣＬ１が広がって指を入れ易くなり、収納物Ｇ２が取り出し易くなる。
【００２９】
さらに、第一の底面３１と第三の底面３３との境界部５０の手前側Ｓ１が仕切られて奥側Ｓ２に共通の収納空間ＳＰ２があるので、図７に示すように先端部の大きい物Ｇ３（例えばお玉やフライ返し等）を両底面３１，３３上にわたって収納することができる。収納物Ｇ３の手前側Ｓ１については、第一の底面３１上から第二の底面３２上にかけて収納することができる。すなわち、底面３１，３３の境界部５０の手前側Ｓ１が仕切られて奥側Ｓ２に共通の収納空間ＳＰ２がある引き出し１は、先端部の大きい物Ｇ３を手前側Ｓ１で整理しながら収納することができる。
【００３０】
なお、引き出されている引き出し１を押すと、キャビネット本体９０に引き出し１を収容することができる。
【００３１】
（５）変形例：
本発明は、種々の変形例が考えられる。
例えば、引き出しは、システムキッチン以外の場所に設置される食器棚、洗面化粧台、等に設けられてもよい。
【００３２】
むろん、第一の底面３１の側方に第三の底面３３が無くても、本技術の基本的な効果が得られる。
【００３３】
（６）結び：
以上説明したように、本発明によると、種々の態様により、収納物を取り出し易い引き出し等の技術を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００３４】
１…引き出し、
１０…引き出し本体、１１…収納凹部、
１２…底部、１２ｏ…外底面、１３…前部、１４…背部、２０…側部、
３０…底面、３１…第一の底面、３２…第二の底面、３３…第三の底面、
４０…繋がり部、
５０…境界部、５１…途中、５２…引き出し方向側の部分、５３…反対方向側の部分、
５４…仕切り、
９０…キャビネット本体、９１…収容空間、９２…側板、９３…底板、
１００〜１０２…キャビネット、
Ｃ１…中心線、ＣＬ１…隙間、
Ｄ１…引き出し方向、Ｄ２…収容方向、
Ｄ４…側方、Ｄ４Ｌ…左方、Ｄ４Ｒ…右方、Ｄ５…上方、Ｄ６…下方、
Ｇ１〜Ｇ３…物、
Ｋ１…システムキッチン、Ｋ２…カウンター、
Ｓ１…手前側（引き出し方向側）、Ｓ２…奥側、
ＳＰ１…収納空間、ＳＰ２…共通の収納空間。
【図１】
0005882288.tif 000002
【図２】
0005882288.tif 000003
【図３】
0005882288.tif 000004
【図４】
0005882288.tif 000005
【図５】
0005882288.tif 000006
【図６】
0005882288.tif 000007
【図７】
0005882288.tif 000008